(57)【要約】【課題】爪矯正のための装置を改善して、該装置が、製造されたままの寸法若しくは大きさで普遍的にかつ簡単に使用でき、かつ必要な締め付け力を簡単かつ無段階に調整できるようにする。【解決手段】結合部材２はフレキシブルに形成され、かつ力導入部材１に堅く取り付けられていて、短くされることによって、無段階に調整可能な引っ張り力を力導入部材に生ぜしめるようになっており、前記引っ張り力は爪の縁部に作用して爪板に曲げモーメントを生ぜしめるようになっている。【選択図】図２
2007289712.tif 000002
【特許請求の範囲】
【請求項１】
爪の矯正のための装置であって、該装置は、爪の縁部の下側に引っ掛けられるフック状の少なくとも２つの力導入部材（１）、並びに少なくとも１つの結合部材（２）を有している形式のものにおいて、結合部材（２）はフレキシブルであり、かつ力導入部材（１）に堅く取り付けられており、この場合に結合部材（２）は短くされて、無段階に調整可能な引っ張り力を力導入部材（１）に生ぜしめるようになっており、前記引っ張り力は爪の縁部に作用して爪板に曲げモーメントを生ぜしめるようになっていることを特徴とする、爪の矯正のための装置。
【請求項２】
装置は複数の構成部分によって形成されている請求項１に記載の装置。
【請求項３】
装置は一体構造の構成部分によって形成されている請求項１に記載の装置。
【請求項４】
力導入部材のフックは必要に応じて成形されるようになっている請求項１から３のいずれか１項に記載の装置。
【請求項５】
力導入部材のフックは予め完全に若しくは部分的に成形されている請求項１から３のいずれか１項に記載の装置。
【請求項６】
力導入部材及び／又は結合部材は弾性的な構成要素を有している請求項１から５のいずれか１項に記載の装置。
【請求項７】
引っ張り力は、結合部材の撚りによって生ぜしめられるようになっている請求項１から６のいずれか１項に記載の装置。
【請求項８】
引っ張り力は、工具を用いて生ぜしめられるようになっている請求項１から６のいずれか１項に記載の装置。
【請求項９】
引っ張り力の作用によって達成された位置は、形状結合によって固定されるようになっている請求項１から８のいずれか１項に記載の装置。
【請求項１０】
爪の矯正のための装置は、該装置の位置を安定させるための構成部分を有している請求項１から９のいずれか１項に記載の装置。
【請求項１１】
爪の矯正のための装置は、該操作の補助のための構成部分を備えている請求項１から１０のいずれか１項に記載の装置。
【請求項１２】
力導入部材は、該導入部材の一時的な固定のために接着剤の塗布された接触面を備えている請求項１から１１のいずれか１項に記載の装置。
【請求項１３】
力導入部材は、ばね鋼製の線材から成っており、結合部材は溶融結合可能な軟らかい線材から成っている請求項１から３のいずれか１項に記載の装置。
【発明の詳細な説明】
【技術分野】
【０００１】
本発明は、爪の矯正のための装置、特に人間の足指の爪の矯正のための装置であって、該装置は、爪の縁部の下側に引っ掛けられるフック状の少なくとも２つの力導入部材、並びに少なくとも１つの結合部材を有している形式のものに関する。
【背景技術】
【０００２】
人間の食い込んだ若しくは巻き込んだ爪、殊に足の親指の食い込んだ若しくは巻き込んだ爪の処置のために、痛みを伴い治癒時間のかかる手術の代わりに種々の爪矯正締め金具が開発されている。このような爪矯正締め金具は、整形締め金具若しくは整形留め金具とも呼ばれ爪板の曲率を減少させ、つまり爪板の極率半径を大きくし、爪にかぶさっていてしばしば炎症している肉部分の負荷を軽減して、治癒を可能にするものである。痛みは著しく減少されている。
【０００３】
爪矯正のための締め金具の作用は、戻し力、若しくは外側部分への引っ張り力、或いは両方の力の組合せによって生ぜしめられるようになっている。爪の処置若しくは矯正に使用されている従来の締め金具は、作用上の欠点若しくは使用上の欠点を有している。
【０００４】
１つの構成部分から成る線材式締め金具は、フレーザー締め具とも呼ばれ、フックを備えており、フックは爪の縁部の下側に係合して、爪の縁部を戻し力によって持ち上げるようになっている。このような締め金具（装置）は、臨床医若しくは治療者によって各患者のために個別に仕上げられねばならない。このような作業は、予め印象材を用いて作製された模型に合わせて行われ、著しい時間を必要としている。締め金具はつま先から爪に押し嵌められ、このためには締め金具を爪幅に正確に適合させることが必要であり、つま先からの押し嵌めには、爪にかぶさって密着する肉部分若しくは爪にかぶさっていて炎症している肉部分を損傷させてしまうおそれが著しく高い。さらに作用力も極めて不正確であり、経験の豊富な利用者によってしか調節され得ないものである。取り付けられた状態での力の調節は不可能である。
【０００５】
前記線材式締め金具を改良した別の締め金具は、ドイツ連邦共和国特許出願公開第４２０７７９７Ａ１号明細書により公知であり、３つの構成部分（２つの脚部＋１つのループ部分）から形成され、つまり三部構造の線材式締め金具として形成されており、三部構造の線材式締め金具は、フック付きの２つの脚部とこれに中央部分で取り付けられる１つのループ部分を備えている。治療者はフック付きの部分的に完成された締め金具脚部を準備して爪の曲率に合わせて締め金具を成形することになる。締め金具の脚部はそれぞれ個別に爪縁部の下側に引っ掛けられて、ループ部分に結合され、これによって締め金具の幅若しくは長さは爪幅に適合され、締め付け力は患者に聞きながら無段階に調節される。このような締め金具の使用は、治療者の高い技能を必要とし、特別な訓練は避けられない。さらに締め金具は各爪幅に合わせて選ばれて、適合されねばならない。ループ部分の取り付けは、寸法が小さいことに基づき手間を必要としている。
【０００６】
金属部材若しくはプラスチック部材の戻し力を利用する接着式締め金具は、ドイツ連邦共和国特許出願公開第３７０８８１１Ａ１号明細書により公知であり、BS形金具とも呼ばれ、予荷重を掛けられた状態で爪板に接着されるようになっている。このために締め金具は爪に圧着されねばならず、このことは、肉に食い込んでいてすでに痛みを生ぜしめている爪の場合に患者に著しい苦痛を与えることになるものである。小さい圧着力では、締め金具は十分に固定されず、再び外れてしまうことになる。締め付け力の強さは、異なる横断面を選ぶことによって、若しくは接着された状態で締め金具の厚さを減少させることによって変えられる。この場合に強さの調整は無段階には行われず、強さを戻すこと、つまり強さを増大させることは不可能である。力の作用は、もっとも外側の縁部領域では行われ得ず、それというのはもっとも外側の縁部領域は、爪にかぶさる肉部分によって被われているからである。
【０００７】
爪に接着される２つの固定片と該固定片を互いに結合する取り外し可能な１つの引っ張り部材から成る爪矯正金具は、ドイツ連邦共和国特許出願公開第３２３３４１９Ａ１号明細書により公知である。この場合に、爪に力を伝える、つまり力を導入するための部材（エレメント）は、荷重のかけられていな状態、つまり応力のない状態で爪板に接着される。締め付け力の調整は、弾性的な引っ張り部材、例えばゴム輪によって行われ、この場合に締め付け力の大きさ（強さ）は、固定片（固着プレート）間の間隔及び引っ張り部材の寸法、例えば太さに依存していて、したがって正確に調整されるものではなく、また無段階に調整されるものでもない。足に密着する靴は、固定片の構成高さが比較的高いことに基づき該固定片を介して爪を圧迫することになり、さらに取り外し可能に装着されている引っ張り部材は失われてしまうことにもなる。
【特許文献１】ドイツ連邦共和国特許出願公開第４２０７７９７Ａ１号明細書
【特許文献２】ドイツ連邦共和国特許出願公開第３７０８８１１Ａ１号明細書
【特許文献３】ドイツ連邦共和国特許出願公開第３２３３４１９Ａ１号明細書
【発明の開示】
【発明が解決しようとする課題】
【０００８】
本発明の課題は、爪矯正のための装置を改善して、該装置が、装置を爪に適合させるための煩雑な作業を必要とすることなしに、製造されたままの寸法若しくは大きさで普遍的に、つまり万人共通にかつ簡単に使用でき、かつ必要な締め付け力を簡単かつ無段階に調整できるようにすることである。
【課題を解決するための手段】
【０００９】
前記課題を解決するために本発明に基づき、結合部材はフレキシブルであり、結合部材を力導入部材に堅く取り付けて、つまり分離不能に結合してあり、結合部材は短くされて、これによって無段階に調整可能な引っ張り力を力導入部材に生ぜしめるようになっており、前記引っ張り力は爪板に離心的に作用して、つまり爪の中央外側に、すなわち爪の縁部に作用して爪板に曲げモーメントを生ぜしめるようになっている。
【００１０】
本発明に基づく装置（爪矯正装置）の有利な実施態様を従属請求項に記載してある。１つの実施態様では、爪の矯正のための装置は複数構造で形成され、つまり複数の構成部分によって形成されている。別の実施態様では装置は一体構造で形成され、つまり一体の構成部分によって形成されている。有利な実施態様では、引っ張り力を作用させて達成された位置（力導入部材間の間隔）は、形状結合によって、つまり形状による束縛に基づき固定され、つまり不変にされるようになっている。別の実施態様では、力導入部材のフックは必要に応じて成形され、若しくは予め完全に若しくは部分的に成形されている。有利な実施態様では、力導入部材及び／又は結合部材は弾性的な構成要素、例えばばね作用を生ぜしめる部分を有している。引っ張り力は、結合部材の撚りによって生ぜしめられ、若しくは適切な工具を用いて生ぜしめられるようになっている。別の実施態様では爪の矯正のための装置に、該装置の操作の補助のための構成部分を設けてある。有利な実施態様では爪の矯正のための装置は、該装置の位置を安定させるための構成部分を有し、或いは該操作の補助のための構成部分を備えており、若しくは力導入部材は、該導入部材の一時的な固定のために接着剤の塗布された接触面を備えている。力導入部材は、ばね鋼製の線材から成っており、結合部材は溶融結合可能若しくはろう付け結合可能な軟質の線材から成っている。
【発明を実施するための最良の形態】
【００１１】
次に本発明を図示の実施例に基づき詳細に説明する。図面において、図１は、爪の矯正のための本発明に基づく装置の断面図であり、図２は図１の装置の平面図であり、図３は本発明に基づく装置の別の実施例の斜視図であり、図４は本発明に基づく装置のさらに別の実施例の斜視図であり、図５は、図３に示す装置を第１の装着段階で示す図であり、図６は、図３に示す装置を第２の装着段階で示す図であり、図７は、図３に示す装置を第３の装着段階で示す断面図であり、図８乃至図１１は、本発明に基づく装置の力導入部材のそれぞれ異なる実施例の斜視図であり、この場合に力導入部材と結合部材との結合は種々の手段で行われており、図１２乃至図１４は、装着の際につかまれる操作補助手段を備えた本発明に基づく装置のそれぞれ異なる実施例を示す斜視図である。
【００１２】
図１及び図２には、本発明に基づく装置（爪矯正装置）は爪に装着された状態で示してある。足の指（５）の食い込んだ爪（４）の処置のために、爪縁部（３ａ，３ｂ）は爪への肉重なり部（６）の負荷を軽減するためにわずかに持ち上げられる。このために、フック状の２つの力導入部材（１ａ，１ｂ）を爪縁部（３ａ，３ｂ）の下側に引っ掛けてあり、力導入部材は線材から成る結合部材（２ａ，２ｂ）を介して互いに結合されている。
【００１３】
結合部材（２ａ，２ｂ）の長さを無段階に短くして所定の長さに規定することによって、力導入部材（１ａ，１ｂ）間に引っ張り力を形成してあり、該引っ張り力は爪（４）の中央外側の部分に生ぜしめられる。これによって爪（４）に曲げモーメントを生ぜしめ、爪縁部（３ａ，３ｂ）は持ち上げられる。
【００１４】
図３及び図４は本発明に基づく装置の異なる実施例を示している。図３には、爪矯正のための本発明に基づく装置の二部構造の実施例を示してある。各フック状の力導入部材（１ａ，１ｂ）に、それぞれ１つの結合部材（２ａ，２ｂ）を堅く結合して、つまり分離不能に結合して、ユニットを形成してある。このような少なくとも２つのユニットを、爪矯正のために用いて、両方の爪縁部（３ａ，３ｂ）の１つの爪縁部の下側に少なくとも１つのフックを掛けるようになっている。結合部材（２ａ，２ｂ）は端部にフック若しくはアイ（７）を備えていて、工具による操作を容易にしている。
【００１５】
別の実施例では爪矯正のための装置は、図４に示してあるように、一体構造で形成されている。この場合にフック状の２つの力導入部材（１ａ，１ｂ）は、共有の１つの結合部材（２）の各端部に堅く結合されている。結合部材（２）は、取り扱い若しくは操作を容易にするためにループ（８）の形で形成されていてよいものである。
【００１６】
図５乃至図７は、爪への図３の実施例の装置の装着を示している。図５に示してあるように、まず第１の締め金具半部（９ａ）がフック（１ａ）でもって右側の爪縁部（３ａ）の下側に引っ掛けられる。次いで第２の締め金具半部（９ｂ）が、同様に左側の爪縁部（３ｂ）の下側に引っ掛けられる。図６に示してあるように、第２の締め金具半部（９ｂ）の結合部材（２ｂ）は利用者の視点から第１の締め金具半部（９ａ）の結合部材（２ａ）の後に置かれるようになっている。
【００１７】
図７は、適切な工具（１０）による装置の緊締を示している。このために結合部材（２，２ａ，２ｂ）は工具の下方のピン（１２）の周りに部分的に巻き掛けて案内され、かつアイ（７ａ，７ｂ）を工具の上方のピン（１１）に引っ掛けるようになっている。両方のピン（１１，１２）間の間隔を無段階に、つまり連続的に拡大することによって、フック状の両方の部材間の間隔は、所望の引っ張り力を達成するまで連続的に短くされる。このようにして両方の部材間の規定された間隔、つまり結合部材の規定された長さを確定（固定）するために、工具（１０）は時計回り方向に少なくとも１８０°にわたって回され、これによって両方の結合部材（２，２ａ，２ｂ）は互いに永続的に結合される。結合部材（結合部分）のこのような形状結合（形状による束縛）のほかに、摩擦結合若しくは素材結合も可能である。このために種々の材料、例えば線材、プラスチック若しくは糸等の結合部材を用いることができる。
【００１８】
図１には、爪矯正のための完全に装着された装置は、結合部材の余剰の線材部分を切り取った状態で示してある。
【００１９】
結合部材を締め付けかつ長さを固定することは、結合部材を互いに撚ることによって行われてもよいものである。
【００２０】
図８乃至図１１に力導入部材（１）の実施例を示してある。図８に示してある実施例では、力導入部材（１）はばね弾性の線材から成っており、線材はフック（１３）の形に形成されている。図８に示すフック（３）は予め大まかに曲げられていて、利用者によって特殊なペンチ（ＧＢＭ２０２００５０１４３６５号明細書により公知）を用いて爪の厚さに合わせて変形される。すでに完全に湾曲されたフックを用いることも可能である。
【００２１】
図９に示す実施例では、装置の力導入部材（１）はまだフックを備えておらず、つまりばね弾性の線材の直線的な区分（１４）を有しており、該区分は個人的に利用者によって工具を用いてフックに曲げられる。
【００２２】
爪矯正締め金具の作用は、力導入部材（１）のばね弾性的な領域の長さを変化させることに基づき、選択的に爪板の中央から外れた部分への純然たる引っ張り力によって、若しくは引っ張り力とてこ作用との組み合わせによって生ぜしめられる。
【００２３】
図１０には、成形部分としての力導入部材（１）を示してあり、成形部分は端部（１５）をフック状に形成されている。該成形部分（成形部品）は、プラスチック、金属若しくはセラミックなどの材料から成っていてよく、種々の形状を有している。さらに力導入部材若しくは成形部分は、爪の解剖学的形状、つまり爪の所望の形状に適合された支持面を有していてよく、該支持面は爪に接着されるようになっていて力導入部材の操作を容易にするものである。力導入部材の取り扱いの改善のために、力導入部材に工具による操作のための付加部若しくは工具なしの操作のための付加部を備えることも可能である。
【００２４】
図８、図１０及び図１１は、力導入部材と結合部材とを互いに外れないように結合するための種々の手段を示している。
【００２５】
図８は、爪矯正のための図３の実施例の装置の端部領域を示している。該実施例で爪矯正のための装置は、全体的に線材から成っており、この場合に線材は力導入部材（１）の領域にばね弾性特性を有していて、したがって弾性的に変形可能であり、これに対して結合部材（２）の領域では接続結合可能に焼きなましされ、つまり塑性変形可能に形成されている。有利には線材はさらに互いに異なる線材太さを有しており、該線材太さは例えば力導入部材（１）にとって約０．４ｍｍ〜０．５ｍｍの直径であり、かつ結合部材（２）にとって約０．３ｍｍ〜０．４ｍｍの直径である。
【００２６】
力導入部材（１）及び結合部材（２）は、各領域に種々の熱処理を施された１つの線材片から成っていてよく、該線材片の直径は結合部材（２）の領域で必要に応じて切削加工によって、若しくは非切削加工によって減少されている。別の実施態様では、太さ及び組織の互いに異なる２つの線材を用いることも可能であり、両方の線材は溶接若しくはろう付けによって互いに結合されている。
【００２７】
図１０に示す本発明に基づく装置は、成形部分（成形部品）として形成された力導入部材（１）を備えている。線材若しくはプラスチックから成る結合部材（２）を、成形部分の注型成形時に成形部分内に埋め込み、若しくは成形部分を結合部材（２）上に射出成形するようになっている。結合部材は、力導入部材（１）との結合の強度を高めるために該結合部材の端部を例えばフックの形状に形成されていてよい。
【００２８】
図１１の実施例は、力導入部材（１）と結合部材（２）との間の形状結合部（形状による束縛に基づき結合されている部分）を示しており、この場合に両方の部材（エレメント）は線材から成っている。力導入部材（１）のばね弾性の線材と結合部材（２）の軟質の線材とは、互いにフック掛けによって、若しくは巻き付けによって、若しくは相互のねじりによって結合されるようになっていてよい。このような結合部の解離を防止するために、つなぎ合わせ箇所（１６）はプラスチック若しくは別の材料内に埋め込まれ、或いはプラスチック又は別の材料で被覆されていてよい。このような被覆部材（１７）は、任意の形状で形成されて、装置の操作の改善及び位置安定のために用いられるようになっていてよいものである。
【００２９】
爪矯正のための装置の位置の安定のために、つまり装置を爪に装着する際に若しくは治療中にフックがねじれて若しくは回動して爪縁部の下側から外れることを防止するために、本発明に基づく装置は、有利な実施態様では側部に位置安定化のための部材を備えている。
【００３０】
装置の位置安定化は、図８に示す実施例では線材の側方への任意の形状の１つ若しくは複数の湾曲部若しくは曲げ出し部８を用いて行われており、この場合に湾曲部若しくは曲げ出し部は片側へ若しくは両側へ曲げ出されていてよい。このような手段、つまり湾曲部若しくは曲げ出し部は引っ張り方向での弾性的な構成要素としても機能し、このことは治療にとって有利に作用するものである。
【００３１】
図１１に示す実施例では、つなぎ合わせ箇所（１６）の被覆部材（１７）は位置安定化のためにも用いられており、このために被覆部材は爪に向けられた側を平らに形成されている。
【００３２】
爪矯正のための装置の装着の際の操作（取り扱い）を容易にするために、該装置は操作用補助手段を備えていてよい。このような操作用補助手段は力導入部材（１）内に統合され、若しくは組み込まれていてよく、或いは力導入部材（１）と結合部材（２）との間のつなぎ合わせ箇所に設けられていてよい。操作用補助手段は、工具による操作のためにも、工具なしの操作のためにも用いられる。
【００３３】
図１０の成形部分としての力導入部材の実施例も、図１１の実施例のつなぎ合わせ箇所（１６）の被覆部材（１７）も、例えばプラスチック射出成形品として装置内への操作用補助手段の統合のための種々の可能性を示すものである。
【００３４】
例えば図１２に示してあるように、爪矯正のための装置内へ操作用補助手段を統合した実施例として形成された成形部分１９は、ピンセットでつかむために側部に互いに平行な側面（２０ａ，２０ｂ）を有しており、該側面は付加的に凹状に湾曲されていてよい。
【００３５】
爪矯正のための装置を爪に装着している間に力導入部材（１）を一時的に固定する、つまり仮留めするために、つなぎ合わせ箇所被覆部材（図１１の１７）の爪側の表面は接着剤を備えていてよい。
【００３６】
図１３及び図１４には、力導入部材を爪に工具なしに引っ掛けるための操作用補助手段若しくは操作用補助部材が示してある。図１３の実施例では、成形部分として形成された力導入部材（１）は付加部（２１）を備えており、該付加部（突出部）は指でつかまれるようになっていて、装置（締め付け金具）の装着の後に切り取られる。図４の実施例では線材Ｕ字形部分若しくは線材湾曲部分（２２）をつかみ補助部材として用いてある。このために力導入部材（１）の線材はつなぎ合わせ箇所で被覆部材（１７）から外側へ延長されて、つかみ補助部材として用いられるようになっている。線材湾曲部分（２２）は装置の装着の後に切り取られる。
【００３７】
爪矯正のための本発明に基づく装置は、従来公知の慣用の方法及び装置に比べて幾つかの利点を有している。爪矯正締め金具は、該締め金具を迅速かつ簡単に装着できることに基づき、経済的にかつ実際の医療並びに歩行及び美容若しくは美観上の要求にかなうものである。力導入部材と結合部材とをすでに互いに堅く、つまり互いに分離不能に結合してあることによって、結合部材を後から、つまり装着時に取り付ける形式の締め金具、例えば従来の三部構造の締め金具の場合のような煩雑な装着操作を避けることができるようになっている。力導入部材に比べて極めて長い結合部材に基づき、爪矯正締め金具を爪曲率（爪の湾曲）に適合させる作業を省略することができ、それというのは爪矯正締め金具は、爪板に対するほぼ全接触領域で軟質のフレキシブルな材料から成っており、このような材料は引っ張り力を生ぜしめるとひとりでに爪表面に当てつけられるからである。このようにして、すでに部分的に若しくは完全に成形されたフックの使用を可能にしており、力導入部材が極めて短いことに基づき１つの寸法若しくは形状の締め金具をあらゆる爪に、つまりすべての人の爪に装着することができるようになっている。
【００３８】
本発明に基づく爪矯正締め金具では結合部材の領域をフレキシブルに形成してあることによって、フックは、爪矯正締め金具の一体構造にもかかわらず直接に作用箇所で爪縁部の下側に引っ掛けられ、公知の一体構造の線材締め金具のようにつま先から爪の上へ押し嵌められなくてすむようになっている。
【００３９】
爪矯正締め金具を作用させると、引っ張り力は直接に結合部材で形成され、公知の締め金具のように付加的な締め付け部材によって形成されなくてすむようになっている。
結合部材を連続的に短くすることによって、引っ張り力、ひいては爪への曲げモーメントは無段階に調整されるようになっている。このことは力の作用状態を患者に聞きながら行われて、結合部材を切り詰める（図１、参照）前では可逆可能であり、つまり引っ張り力を緩めることも可能である。爪矯正締め金具の扁平な構造に基づき、爪矯正締め金具は、足に密着するような靴を履いた場合でも不快な感覚を与えるものではなくなっている。
【図面の簡単な説明】
【００４０】
【図１】爪の矯正のための本発明に基づく装置の断面図
【図２】図２は図１の装置の平面図
【図３】図３は本発明に基づく装置の別の実施例の斜視図
【図４】図４は本発明に基づく装置のさらに別の実施例の斜視図
【図５】図３に示す装置を第１の装着段階で示す図
【図６】図３に示す装置を第２の装着段階で示す図
【図７】図３に示す装置を第３の装着段階で示す断面図
【図８】本発明に基づく装置の力導入部材の１つの実施例の斜視図
【図９】本発明に基づく装置の力導入部材の別の実施例の斜視図
【図１０】本発明に基づく装置の力導入部材のさらに別の実施例の斜視図
【図１１】本発明に基づく装置の力導入部材のさらに別の実施例の斜視図
【図１２】操作補助手段を備えた本発明に基づく装置の１つの実施例の斜視図
【図１３】操作補助手段を備えた本発明に基づく装置の別の実施例の斜視図
【図１４】操作補助手段を備えた本発明に基づく装置のさらに別の実施例の斜視図
【符号の説明】
【００４１】
１，１ａ，１ｂ  力導入部材、  ２，２ａ，２ｂ  結合部材、  ３ａ，３ｂ  爪縁部、  ４  食い込んだ爪、  ５  指、  ６  肉重なり部、  ７，７ａ，７ｂ  アイ、  ８  ループ、  ９ａ，９ｂ  締め金具半部、  １０  工具、  １１，１２  ピン、  １３  フック、  １７  被覆部材、  ２０ａ，２０ｂ  側面、  ２１  付加部、  ２２  線材湾曲部分
【図１】
2007289712.tif 000003
【図２】
2007289712.tif 000004
【図３】
2007289712.tif 000005
【図４】
2007289712.tif 000006
【図５】
2007289712.tif 000007
【図６】
2007289712.tif 000008
【図７】
2007289712.tif 000009
【図８】
2007289712.tif 000010
【図９】
2007289712.tif 000011
【図１０】
2007289712.tif 000012
【図１１】
2007289712.tif 000013
【図１２】
2007289712.tif 000014
【図１３】
2007289712.tif 000015
【図１４】
2007289712.tif 000016